(57)【特許請求の範囲】
【請求項１】
非透光性材料で形成される筒状本体の両端部に入り口を形成し、該両端の入り口に開閉可能であって開放状態を係止手段によって維持する扉を設けるとともに、筒状本体の内部に踏み板を設け、筒状本体を通過しようとして内部に進入した小動物が踏み板に乗ったときに、踏み板と連動させた前記係止手段の係止状態が解除されて扉が閉まり、筒状本体の内部に入った小動物を捕獲する小動物捕獲器において、踏み板の一部に透明板もしくは貫通孔によってのぞき窓を設けるとともに、筒状本体の底板の前記踏み板に形成したのぞき窓との対向位置に、透明板によってのぞき窓を形成したことを特徴とする小動物捕獲器。
【発明の詳細な説明】
【技術分野】
【０００１】
この発明は、主として害獣であるねずみなどの小動物を捕獲するための小動物捕獲器に関する発明である。
【背景技術】
【０００２】
本出願人は、特許文献１に開示される実用新案権を保有している。特許文献１に開示される小動物の捕獲器は、筒状本体１の両端部に開閉自在の扉を設けるとともに、筒状本体の内部に踏み板を配置し、筒状本体の内部に入り込んだ小動物が踏み板に乗ったときに、踏み板に連動する扉の係止手段が解除され、扉が閉じられるものである。筒状本体は、金属板などの非透光性材料で製造することによって、一般に暗所を好むねずみなどの害獣を効果的に捕獲することができるものである。
【特許文献１】登録実用新案第３００７４８２号公報
【発明の開示】
【発明が解決しようとする課題】
【０００３】
特許文献１に記載された小動物の捕獲器は、一般的なねずみ取りのように金網で形成されるものではなく、金属板のように非透光性材料で作られるため、暗所を好むねずみなどの小動物を捕獲する上において効果的である。小動物が捕獲され、扉が閉まった状態の筒状本体は、扉が開かないようにロックした状態で水中に沈め、捕獲した害獣である小動物を水死させてから廃棄する。
【０００４】
すなわち特許文献１に記載された捕獲器は、捕獲した小動物の種類や捕獲頭数、捕獲状況を確認することができないままその後の処理を行なうことになる。また、確認しようとして扉を開けると捕獲した害獣が逃げ出す、あるいは噛まれるといった事故につながる可能性があった。一方で、予想外の小動物を捕獲してしまう可能性もあり、捕獲した小動物の種類や状況に応じて必ずしも適切な対応をすることができないという欠点があった。このような状況に鑑み、本発明は、捕獲した小動物を容易に確認することができる捕獲器であって、捕獲効果の高いものを実現することを目的とするものである。
【課題を解決するための手段】
【０００５】
上記目的を達成する、本発明小動物捕獲器は、非透光性材料で形成される筒状本体１の両端部に入り口２,２を形成する。入り口２,２には開閉可能な扉３を設け、小動物が筒状本体１を通過しようとして内部に入ったときに扉３が閉まり、内部に入った小動物を捕獲することができるようにする。
【０００６】
具体的には筒状本体１の内部に踏み板６を設け、筒状本体１を通過しようとして内部に進入した小動物が踏み板６に乗ったときに、踏み板６と連動させた係止手段の係止状態が解除されて扉３が閉まり、筒状本体１の内部に入った小動物を捕獲するようにする。
【０００７】
そして、筒状本体１の内部に配置する踏み板６の一部に、透明板もしくは貫通孔によってのぞき窓７を設けるとともに、筒状本体１の底板1aの前記踏み板６に形成したのぞき窓７との対向位置に、透明板16によってのぞき窓４を形成する。
【発明の効果】
【０００８】
請求項１記載の本発明小動物捕獲器によれば、非透光性材料で形成される筒状本体を備えることによって、暗い場所を好むねずみなどの小動物を効果的に捕獲することができるものにおいて、扉を開けることなく捕獲した小動物を容易に確認し、小動物の種類に応じてより適切に対応することができる。
【０００９】
踏み板６を備えた本発明に係る小動物捕獲器では、踏み板６に隠れて筒状本体１の底板1aに形成したのぞき窓４から捕獲した小動物を確認することができない可能性があるが、このような場合であっても、筒状本体１の底板1aに形成したのぞき窓４から、踏み板６の上にいる小動物Ａを、確実に視認することができる。
【発明を実施するための最良の形態】
【００１０】
以下、本発明に係る小動物捕獲器の実施形態を添付の図面に基づいて説明する。
図１は、小動物捕獲器全体の斜視図、図２は小動物捕獲器全体の縦断面図、図３は小動物捕獲器の扉部分のみの縦断面図である。
【００１１】
金属板などの非透光性材料で形成する筒状本体１には、その両端部分に入り口２,２を設け、各入り口２,２に開閉可能な扉３,３を設ける。扉３は、入り口２を閉塞することができる大きさの板状であって、その上端を筒状本体１の側板1bに支持軸８で軸支し、扉の自重によって回動して入り口２を塞ぐとともに、支持軸８の軸孔９を長孔とすることによって扉３が上下方向に遊動し、入り口２を塞いだ状態で扉の下端が筒状本体１の底板1aに形成した溝10に係合するようにしている。支持軸９として、例えばビスを利用しビス頭を摘みとして側板1bから突出させる。
【００１２】
扉３は、上方に回動させた状態で先端部分を踏み板６に立設した支持杆11に支受させ、扉３が開いた状態を維持する。踏み板６は、筒状本体１の内部の底板1a部分においてシーソー運動をする如く中間位置を支持軸12によって軸支するものであって、一方の入り口と他方の入り口の二箇所に配置してある。そして、踏み板６には支持軸12よりも入り口２に近い部分に重り13を装着することにより入り口側が下がった状態を維持し、この状態で踏み板６に立設した支持杆11で扉３の先端部分を支受している。
【００１３】
しかして、図２に示すように、トンネル状に両端の入り口２を開けた状態の筒状本体１内にねずみなどの小動物Ａが入り込むと、その重みによって踏み板６,６が矢印方向に回動する。踏み板６が回動することによって、踏み板に立設されている支持杆11が内方に移動し、扉３先端部分の支持が解除され二点鎖線で示すように扉３が入り口２を閉鎖する方向に回動する。これにより、筒状本体１の内部に小動物Ａが閉じ込められる。
【００１４】
小動物Ａが閉じ込められた状態では、図３に示すように、入り口２を閉鎖している扉３が自重によって下方に遊動し、扉３の先端は筒状本体１の底板1aに形成した溝10に入り込んで閉鎖状態を維持する。しかしながら、扉３は上下方向に遊動可能であるため、小動物の捕獲後は、扉３が不用意に開かないようにストッパー14を取り付けて取り扱う。ストッパー14は、扉３が開かないものであれば任意の手段をとることができる。図３にはストッパー14として楔片を利用し、溝10と扉３の間に楔状のストッパー14を挿入することによって、扉３が開くのを防止する実施形態を示している。
【００１５】
筒状本体１の底板1aには、図２に示すように踏み板６,６の中間位置に相当する二箇所にのぞき窓４,４を設けている。のぞき窓４は、底板1aに貫通孔15を穿設するとともに、貫通孔15を塞ぐように、ガラス板やアクリル樹脂板のような透明板16を貼り付けることによって形成する。このとき、筒状本体１の内部に配置されている踏み板６が、例えば金属板であると、小動物Ａは不透明である金属板の上に乗っているため、のぞき窓４からは視認することができない。そこで、図２に示す実施形態では、踏み板６にのぞき窓７としての貫通孔を穿設している。これにより、のぞき窓４から踏み板６の上に位置する小動物を視認することができる。
【００１６】
踏み板６は、金属板製とする代わりに全体を例えば透明な合成樹脂製とすることもできる。この場合、のぞき窓７を形成するまでもなく、筒状本体１を持ち上げて底板1aに形成したのぞき窓４から、内部に閉じ込められた小動物を確認することができる。
【００１７】
本発明に係る小動物捕獲器は、屋内において家ねずみの捕獲などに利用するほか、屋外においてのねずみやドブネズミの捕獲に利用することができる。しかしながら、屋外においてはねずみ以外の有害な小動物あるいは有益な小動物が捕獲される可能性がある。希少動物など捕殺してはならないものや有益な小動物を捕獲した場合は、種類を確認して保護する。また、毒蛇などの有害動物を捕獲した場合は、動物の種類に応じて水死させる以外にも適切な対応をとる。
【００１８】
筒状本体１を利用した小動物捕獲器は、屋内や屋外に設置し、暗い内部に入り込もうとする小動物の本能を利用して効果的に捕獲することができるものである。したがって、図２に示す底板1a部分にのぞき窓４を形成する本発明に係る小動物捕獲器は、床や地面の上に置いて使用するのが好ましい。
【図面の簡単な説明】
【００１９】
【図１】図１は、小動物捕獲器全体の斜視図、
【図２】図２は、小動物捕獲器全体の縦断面図、
【図３】図３は、小動物捕獲器の扉部分のみの縦断面図である。
【符号の説明】
【００２０】
１…筒状本体、  1a…底板、  1b…側板、  1c…天板、  ２…入り口、  ３…扉、  ４…のぞき窓、  ６…踏み板、  ７…のぞき板、  ８…支持軸、  ９…軸孔、  10…溝、  11…支持杆、  12…支持軸、  13…重り、  14…ストッパー、  15…貫通孔、  16…透明板、  17…ガイド部材、  Ａ…小動物。
【図１】
0004266884.tif 000002
【図２】
0004266884.tif 000003
【図３】
0004266884.tif 000004